(57)【要約】      （修正有）【課題】かご床枠とそれを支えるかご床支持枠の間に防振ゴムを設け、人が乗り同時に質量の大きな荷物も積載する共用のエレベータにおいて、かごに重量物を搬入出する際に、かご床が傾かずに搬入出することができ、走行中はかごの縦振動が抑制されて乗り心地のよいエレベータかごを提供する。【解決手段】かご床枠２とかご床枠２を支持するかご床支持枠３との間に防振ゴム４を備えたエレベータかご１において、かご床２とかご床支持枠３との離間距離を保持すると共に、解除する保持手段と、保持及び解除をモータ２０の回転に基づいて成す駆動機構を備えた構成とした。【選択図】図１
2013043743.tif 000002
【特許請求の範囲】
【請求項１】
かご床と該かご床を支持するかご床支持枠との間に弾性体を備えたエレベータかごにおいて、
前記かご床と前記かご床支持枠との離間距離を保持すると共に、解除する保持手段と、
前記保持及び解除をモータの回転に基づいて成す駆動機構と、を備えた、
ことを特徴とするエレベータかご。
【請求項２】
前記保持手段は、前記かご床に受け金を形成し、前記かご床支持枠に前記受け金に係合される可動金具を形成した、
ことを特徴とする請求項１に記載のエレベータかご。
【請求項３】
前記可動金具は、前記かご床支持枠に設けられた前記モータに形成した第1のプーリと前記第1のプーリと所定の距離をおいて設けられた第2のプーリとの間に介したベルトに固定され、前記モータの回転により前記ベルトと共に移動して前記受け金に係合される、
ことを特徴とする請求項２に記載のエレベータかご。
【請求項４】
前記可動金具は、前記かご床支持枠に設けられたボールネジのナット部に形成されると共に、前記ボールネジに連結した前記モータの回転により移動して前記受け金に係合される、
ことを特徴とする請求項２に記載のエレベータかご。
【請求項５】
前記保持手段は、前記かご床に設けた当接物が前記モータの回転により移動して前記かご床支持枠に当接して前記かご床と前記かご床支持枠との離間距離を保持する、
ことを特徴とする請求項１に記載のエレベータかご。
【発明の詳細な説明】
【技術分野】
【０００１】
本発明は、エレベータかご床の構造に関するものである。
【背景技術】
【０００２】
乗用のエレベータのかごは、人が乗るかご床とそれを支えるかご床支持枠の間に防振ゴムを設けた防振床構造となっている。この防振床構造により走行時の縦振動が乗客に伝わり難くなっており(例えば特許文献１参照)、乗り心地をよくしている。一方、運搬対象が荷物である荷物用エレベータのかごは、防振ゴムを用いずにかご床とかご床支持枠を一体にした固定床構造が一般的であり、強度や安定性を重視するため、乗り心地は犠牲になっている。
【先行技術文献】
【特許文献】
【０００３】
【特許文献１】特開昭５９−４５５９８号公報  (第１図)
【発明の概要】
【発明が解決しようとする課題】
【０００４】
これに対し、人が乗り同時に質量の大きな荷物も積載する共用のエレベータかごの場合、乗り心地を重視した防振床構造とすると、質量の大きな荷物の搬入出時に、大きな荷重がかご床の出入口付近に集中するため、出入口付近の防振ゴムが強圧縮されて床面が傾く恐れがある。例えば、台車に重量物を載せ搬入しようとした際に、かご床の入り口付近に台車の車輪が乗り、台車の車輪が接地した付近に荷重が集中することでかご床の入り口付近が沈み、奥側部が浮き上がるといった状態になる。これにより、台車がかごの入り口方向に傾き荷物も傾く。
【０００５】
本発明は上記課題を解決するためになされたもので、かご床とそれを支えるかご床支持枠の間に防振ゴムを設けたエレベータかごにおいて、かごに重量物を搬入出する際に、かご床が傾かずに搬入出することができるエレベータかごを提供するものである。
【課題を解決するための手段】
【０００６】
本発明に係る、かご床とかご床を支持するかご床支持枠との間に弾性体を備えたエレベータかごは、かご床とかご床支持枠との離間距離を保持すると共に、解除する保持手段と、
保持及び解除をモータの回転に基づいて成す駆動機構と、を備えた構成とした。
【発明の効果】
【０００７】
本発明によれば、かご床とかご床を支持するかご床支持枠との間に弾性体を備えたエレベータかごにおいて、かご床とかご床支持枠との離間距離を保持すると共に、解除する保持手段と、保持及び解除をモータの回転に基づいて成す駆動機構と、を備えているので、かごに重量物を搬入出する際にかご床とかご床支持枠との離間距離が保たれ、かご床が傾かずに搬入出することができる。
【図面の簡単な説明】
【０００８】
【図１】本発明の実施の形態１を示すエレベータかごの全体図である。
【図２】図１におけるかご床とかご床支持枠との離間距離の保持手段の詳細図である。
【図３】本発明の実施の形態２を示す詳細図である。
【図４】本発明の実施の形態３を示す詳細図である。
【発明を実施するための形態】
【０００９】
以下、本発明を実施するための形態について、添付の図面を参照して説明する。
【００１０】
実施の形態１
図１、図２は、本発明の実施の形態１を説明する図である。
図１に示すように、エレベータのかご室１の上部には戸の開閉を行う戸開閉装置７が設けられており、これに戸８が懸架されている。戸開閉装置７には、戸８の開閉を検出する戸開閉感知センサ９が設けられている。乗場１０の天井１１部分には出入口開閉装置１６が設けられており、これに戸１５が懸架されている。また、戸８と戸１５は戸開閉時に連動して動作する。１２は台車１３の積載物であり、１４は人である。
【００１１】
かご室１のかご床２とかご床支持枠３との間には防振ゴム４(弾性体)が設けられている。また、この防振ゴム４は、かご床２の四隅に配置されている。かご床２の下部には保持手段の受け金６が形成されている。かご床支持枠３の上部には保持手段の可動金具５が移動自在に設けられている。可動金具５は受け金６に係合され、可動金具５の係合部分は略３角形の凸形状、受け金６の被係合部分は略３角形の凹形状にそれぞれ形成されている。
【００１２】
図２に示すように、かご床支持枠３の上部に設けられたモータ２０に第1のプーリ２１が形成されている。第1のプーリ２１と所定の距離をおいて、かご床支持枠３の上部に第２のプーリ２２を形成したプーリ台２３を設けている。
【００１３】
第1のプーリ２１と第２のプーリ２２とにはベルト２４が架けられており、このベルト２４に可動金具５が固定金具２５を介して固定されている。モータ２０の回転によりベルト２４に固定した可動金具５が移動することで、可動金具５はかご床支持枠３の上部を移動する。
【００１４】
次に、図１、図２を用いて、かご床２とかご床支持枠３との離間距離を保つ方法について説明する。
戸８の開かれたことを戸開閉感知センサ９が検出すると、制御装置(図示せず)によりモータ２０が回転する。そして、ベルト２４に固定された可動金具５が矢印A方向に移動して受け金６に係合される。そして、可動金具５が受け金６に係合されたことをセンサ(図示せず)により確認してモータ２０の回転を停止させる。これにより、かご床２とかご床支持枠３との離間距離が保たれる。この後、人１４が台車１３をかご室１内に搬入する。
【００１５】
台車１３のかご室１内への搬入後、戸８を閉め、戸８が閉まったことを戸開閉感知センサ９が確認するとモータ２０が逆に回転し、可動金具５を逆方向に移動させて受け金６との係合を解除する。これにより、防振ゴム４の機能を有効にする。
【００１６】
上記実施の形態によれば、かご床２とかご床支持枠３との離間距離を保持すると共に、解除する保持手段と、離間距離の保持と解除をモータ２０の回転により行う駆動機構とを備えているので、かご室１に重量物を搬入出する際に保持手段を有効にしてかご床２とかご床支持枠３との離間距離が保たれるので、重量物の荷重がかご床２の一部に集中しても、かご床２が傾くことがなく搬入出することができ、さらに、駆動機構により人の手を特別に介さなくともかご床２とかご床支持枠３との離間距離を保つことができる。さらに、搬入出後、離間距離の保持手段を解除して弾性体４がかご室１の縦振動を抑制するので乗り心地もよい。
【００１７】
また、かご床２に受け金６を形成し、かご床支持枠３に受け金６に係合される可動金具５を形成しているので、可動金具５が受け金６に係合されることでかご床２とかご床支持枠３との離間距離を保ち、これにより、簡易な方法でかご床２とかご床支持枠３との離間距離を保つことができる。
【００１８】
さらに、可動金具５は、かご床支持枠３上に設けられたモータ２０に形成した第1のプーリ２１と、第1のプーリ２１と所定の距離をおいて設けられた第２のプーリ２２との間に介したベルト２４に固定され、モータ２０の回転によりベルト２４と共に移動して受け金６に係合されるので、モータ２０を回転させることで可動金具５が受け金６に係合され、かご床２とかご床支持枠３との離間距離を保つ。これにより、人の手を特別に介さなくともかご床２とかご床支持枠３との離間距離を保つことができる。
なお、この実施の形態ではプーリにベルトを介しているが、他の方法、例えば、滑車にロープを介したものでもよい。
【００１９】
実施の形態２
図３は、本発明の実施の形態２を説明する詳細図である。図中、同一符号は同一部品を示し、説明を省略する。
実施の形態１では、ベルト２４の移動により、可動金具５を受け金６に係合させたが、実施の形態２ではボールネジを用いて可動金具３２を移動させて受け金６に係合させる。
図３に示す様に、かご床支持枠３に設けられた支持台３１にボールネジ３０が回転可能に支持されている。ボールネジ３０の一端はかご床支持枠３に設けられたモータ３３に接合されている。ボールネジ３０のナット部３０aが可動金具３２に形成されており、モータ３３の回転によりボールネジ３０が回転し、可動金具３２が移動する。
【００２０】
次に、図１、図３を用いて、かご床２とかご床支持枠３との離間距離を保つ方法について説明する。
戸８の開かれたことを戸開閉感知センサ９が検出すると、制御装置(図示せず)によりモータ３３が回転する。そして、可動金具３２が矢印A方向に移動して受け金６に係合される。そして、可動金具３２が受け金６に係合されたことをセンサ(図示せず)により確認してモータ３３の回転を停止させる。これにより、かご床２とかご床支持枠３との離間距離が保たれる。この後、人１４が台車１３をかご室１内に搬入する。
【００２１】
台車１３のかご室１内への搬入後、戸８を閉め、戸８が閉まったことを戸開閉感知センサ９が確認するとモータ３３が逆に回転し、可動金具３２を逆方向に移動させて受け金６との係合を解除する。これにより、防振ゴム４の機能を有効にする。
【００２２】
上記実施の形態によれば、可動金具３２は、かご床支持枠３に設けられたボールネジ３０のナット部３０aに形成されると共に、ボールネジ３０に連結したモータ３３の回転により移動して受け金６に係合されるので、かご床２とかご床支持枠３との離間距離を保つことができる。これにより、人の手を特別に介さなくともかご床２とかご床支持枠３との離間距離を保つことができる。
【００２３】
実施の形態３
図４は、本発明の実施の形態３を説明する詳細図である。図中、同一符号は同一部品を示し、説明を省略する。
図４において、図４(a)は、かご床２とかご床支持枠３との離間距離を保つ保持手段が機能していない状態を示し、図４(ｂ)は、かご床２とかご床支持枠３との離間距離を保つ保持手段が機能している状態を示す。
【００２４】
図４(a)に示す様に、送りネジ４０は、送りネジ用プーリ４５を螺合し、一方が保持金具４４に設けられた孔(図示せず)に通され、他方がかご床２に設けられた孔(図示せず)に通されて保持金具４４によりかご床２に設置されている。
【００２５】
送りネジ４０の保持金具４４側にはガイド４１が止め具４２により固定されている。保持金具４４には送りネジ４０の回転を制止する回り止め４３が設けられている。この回り止め４３は、ガイド４１を貫通して設けられたガイド部４１aに挿入され、送りネジ４０が回転することを阻止する。
【００２６】
また、プーリ４９を形成したモータ４８がかご床２に設けられている。このプーリ４９と送りネジ用プーリ４５にはベルト５０が架けられており、モータ４８の回転を送りネジ用プーリ４５に伝える。そして、送りネジ４０が移動してその先端部４０aが当接する当て金４６がかご床支持枠３に設けられており、図４(ｂ)に示す様に、先端部４０aが当て金４６に当接する。
【００２７】
ここで、送りネジ用プーリ４５の回転により送りネジ４０が移動する構成について説明する。送りネジ用プーリ４５は回転すると、送りネジ４０は回り止め４３により回転を制止されているので、送りネジ４０のネジが切られた方向に移動するが、保持金具４４あるいはかご床２に当接して移動を止められる。そして、さらに、送りネジ用プーリ４５は回転を続けるので、送りネジ４０が送りネジ用プーリ４５に切られているネジ方向に移動する。
【００２８】
次に、図１、図４を用いて、かご床２とかご床支持枠３との離間距離を保つ方法について説明する。
戸８の開かれたことを戸開閉感知センサ９が検出すると、制御装置(図示せず)によりモータ４８が矢印C方向に回転し(プーリ４９側から見て左回転)、プーリ４９が回転する。プーリ４９の回転はベルト５０を介して送りネジ用プーリ４５に伝わり、送りネジ４０が当て金４６方向に移動する。
【００２９】
そして、送りネジ４０の先端部４０aがかご床支持枠３に設けられた当て金４６に当接したことをセンサ(図示せず)により確認してモータ２０の回転を停止させる。これにより、かご床２とかご床支持枠３との離間距離が保たれる。この後、人１４が台車１３をかご室１内に搬入する。
【００３０】
台車１３のかご室１内への搬入後、戸８を閉め、戸８が閉まったことを戸開閉感知センサ９が確認するとモータ４８が逆に回転し、送りネジ４０を逆方向に移動させて当て金４６との当接を解除し、防振ゴム４の機能を有効にする。
【００３１】
上記実施の形態によれば、かご床２に設けた送りネジ４０の先端部４０aがモータ４８の回転によりかご床支持枠３の当て金４６に当接してかご床２とかご床支持枠３との離間距離が保たれるので、質量の大きな荷物の搬入出時に荷重がかご床２の一部に集中しても、かご床２が傾くことがなく搬入出することができる。搬入出後、離間距離の保持手段を解除して弾性体４がかご室１の縦振動を抑制するので乗り心地もよい。
【符号の説明】
【００３２】
２  かご床、  ３  かご床支持枠、  ４  防振ゴム(弾性体)、  ５，３２  可動金具、  ６  受け金、  ７  戸開閉装置、  ８，１５  戸、  ９  戸開閉感知センサ、  １３  台車、    １６  出入口開閉装置、  ２０，３３，４８  モータ、  ２１  第1のプーリ、  ２２  第２のプーリ、  ２３  プーリ台、  ２４，５０  ベルト、  ２５  固定金具、  ３０  ボールネジ、  ３０a  ナット部、  ３１  支持台、  ４０  送りネジ(当接物)、  ４０a  先端部、  ４１  ガイド、  ４１a  ガイド部、  ４２  止め具、４３  回り止め、  ４４  保持金具、  ４５  送りネジ用プーリ、  ４６  当て金、  ４９  プーリ。
【図１】
2013043743.tif 000003
【図２】
2013043743.tif 000004
【図３】
2013043743.tif 000005
【図４】
2013043743.tif 000006